【手続補正書】
【提出日】平成17年9月22日(2005.9.22)
【手続補正１】
【補正対象書類名】明細書
【補正対象項目名】全文
【補正方法】変更
【補正の内容】
【書類名】      明細書
【発明の名称】  インクジェット記録用水性顔料インク及びインクジェット記録方法
【特許請求の範囲】
【請求項１】  自己分散顔料の分散体、水溶性有機溶剤、並びに、エチレングリコールプロピルエーテル、ジエチレングリコールプロピルエーテル、トリエチレングリコールプロピルエーテル、プロピレングリコールプロピルエーテル、ジプロピレングリコールプロピルエーテル、及び、トリプロピレングリコールプロピルエーテルからなる群より選択される少なくとも１種のグリコールエーテルを含有するインクジェット記録用水性顔料インクであって、
前記自己分散顔料の分散体を除いたインク構成成分の混合液により前記自己分散顔料の分散体をペーパークロマトグラフィーにより展開したときの自己分散顔料の移動率Ｒｆ値が０．５以下である
ことを特徴とするインクジェット記録用水性顔料インク。
【請求項２】  前記グリコールエーテルの配合量が、インクジェット記録用水性顔料インクの全量に対して１〜１０重量％であることを特徴とする請求項１記載のインクジェット記録用水性顔料インク。
【請求項３】  請求項１又は２記載のインクジェット記録用水性顔料インクを使用することを特徴とするインクジェット記録方法。
【発明の詳細な説明】
【０００１】
【発明の属する技術分野】
本発明は、インクジェット記録用水性顔料インク及びインクジェット記録方法に関する。
【０００２】
【従来の技術】
インクジェット記録方式とは、種々のインク吐出方式、例えば、静電吸引方式、圧電素子を用いてインクに機械的振動又は変位を与える方式、インクを加熱することにより発生した気泡の圧力を利用する方式等によりインク小滴を形成し、インク小滴の一部又は全部を紙等の被記録材に付着させて記録を行う記録方式である。
【０００３】
このようなインクジェット記録方式に使用するインクジェット記録用インクとしては、各種の水溶性染料又は顔料を、水と水溶性有機溶剤とからなる液媒体に溶解又は分散させたものが使用されている。水溶性染料と顔料とを比較すると、水溶性染料は水に溶解する性質から記録物の耐水性が悪く、その化学構造から顔料に比べて耐光性も大きく劣る。一方、顔料は、非水溶性であることから記録物の耐水性は水溶性染料に比べて良好である。そのため近年、インクジェット記録用インクは、水溶性染料インクから顔料インクへと移行しつつある。
【０００４】
最近では、インクジェットプリンタに対して写真画像並みの記録品質が要求されており、これを満たすためには記録物は、フェザリングやブリーディング等の紙面上でのにじみが極力抑えられ、画像の輪郭がシャープである必要がある。一般的にインクジェット記録用インクには、上記にじみを防ぐ目的で浸透剤が添加される。上記浸透剤は、インクジェット記録用インクを紙内部に速やかに浸透させる働きを持ち、その結果、フェザリングやブリーディングを低減できる。なお、本明細書において、フェザリングとは、１色のインクで記録した際の微細なインクのにじみを指し、ブリーディングとは、２色以上のインクでカラー記録した際に異なる色の界面で起こるにじみを指す。
【０００５】
上記浸透剤のうちインクジェット記録用水性インクに対して好適な浸透剤としては、グリコール系ｎ−ブチルエーテルが知られている。
上記グリコール系ｎ−ブチルエーテルとしては、例えば、エチレングリコール−ｎ−ブチルエーテル、ジエチレングリコール−ｎ−ブチルエーテル、トリエチレングリコール−ｎ−ブチルエーテル、プロピレングリコール−ｎ−ブチルエーテル、ジプロピレングリコール−ｎ−ブチルエーテル、トリプロピレングリコール−ｎ−ブチルエーテル等を挙げることができる。
しかしながら、顔料を着色剤とするインクジェット記録用水性顔料インクに上記のグリコール系ｎ−ブチルエーテルを使用した場合は、フェザリングやブリーディングが充分に低減できないという問題があった。
【０００６】
【発明が解決しようとする課題】
本発明は、上述した問題点を解決するためになされたものであり、フェザリング及びブリーディングを低減できるインクジェット記録用水性顔料インク及びそのインクを使用するインクジェット記録方法を提供することを目的とするものである。
【０００７】
【発明を解決するための手段】
本発明は、自己分散顔料の分散体、水溶性有機溶剤、並びに、エチレングリコールプロピルエーテル、ジエチレングリコールプロピルエーテル、トリエチレングリコールプロピルエーテル、プロピレングリコールプロピルエーテル、ジプロピレングリコールプロピルエーテル、及び、トリプロピレングリコールプロピルエーテルからなる群より選択される少なくとも１種のグリコールエーテルを含有するインクジェット記録用水性顔料インクであって、前記自己分散顔料の分散体を除いたインク構成成分の混合液により前記自己分散顔料の分散体をペーパークロマトグラフィーにより展開したときの自己分散顔料の移動率Ｒｆ値が０．５以下であるインクジェット記録用水性顔料インクである。
また本発明は、上記インクを使用するインクジェット記録方法である。
以下に本発明を詳述する。
【発明の実施の形態】
【０００８】
本発明のインクジェット記録用水性顔料インクは、自己分散顔料の分散体及び水溶性有機溶剤を含有するものである。
【０００９】
上記自己分散顔料の分散体とは、上記自己分散顔料を水に分散させたものである。
上記自己分散顔料とは、カルボニル基、カルボキシル基、ヒドロキシル基、又は、スルホン基のうち、少なくとも１種の官能基又はその塩を結合させる表面処理がなされたことで、分散剤なしで水中に分散が可能となった顔料である。
上記表面処理の方法としては、例えば、顔料に対して一般的な酸化剤による酸化又はプラズマ処理等の表面改質を施したうえで、次亜ハロゲン酸塩による酸化を行う方法；顔料とジアゾニウム塩とを含むｐＨ＝２の水溶液中でジアゾニウム塩を還元反応させる方法等を挙げることができる。
【００１０】
上記表面処理を施すのに適した顔料としては特に限定されないが、カーボンブラックとしては、例えば、ＭＡ８、ＭＡ１００（以上、三菱化学社製）、カラーブラックＦＷ２００（デグサ社製）等を挙げることができる。
上記表面処理を施すのに適した黄色系顔料としては、例えば、Ｃ．Ｉ．ピグメントイエロー３、１３、７４、８３、１５４等を挙げることができ、このうちピグメントイエロー７４としては、例えば、ＨＡＮＳＡ ＢＲＩＬＬ．ＹＥＬＬＯＷ  ５ＧＸＷ（クラリアント社製）等を挙げることができる。
上記表面処理を施すのに適した赤色系顔料としては、例えば、Ｃ．Ｉ．ピグメントレッド５、４８、１１２、１２２、１７７、２０２、２０７等を挙げることができ、このうちピグメントレッド１２２としては、例えば、Ｆａｓｔｏｇｅｎ  Ｓｕｐｅｒ Ｍａｇｅｎｔａ Ｒ（大日本インキ化学工業社製）等を挙げることができる。
上記表面処理を施すのに適した青色系顔料としては、例えば、Ｃ．Ｉ．ピグメントブルー１５、１５：３、１５：４、１６、６０等を挙げることができ、このうちピグメントブルー１５：３としては、例えば、ＨＥＬＩＯＧＥＮ ＢＵＬＥＤ ７０８０（ＢＡＳＦ社製）等を挙げることができる。
【００１１】
上記自己分散顔料としては、表面処理済みの市販品を用いることもでき、例えば、ＣＡＢＯ−ＪＥＴ２００、ＣＡＢＯ−ＪＥＴ３００（キャボット社製）、ボンジェットＣＷ１（オリエント化学工業（株）社製） 等を挙げることができる。
上記自己分散顔料の配合量は、所望される記録濃度や色彩に応じて変更されるが、一般にはインクジェット記録用水性顔料インクの全量に対して１〜１５重量％が好ましく、より好ましくは１〜１０重量％である。
【００１２】
上記自己分散顔料の分散体には、上記自己分散顔料及び上記水の他にメチルアルコール、エチルアルコール、１，３−ジメチル−２−イミダゾリジノン等の後述するインク溶媒に使用される水溶性有機溶剤と同じものを添加することもできる。
【００１３】
上記自己分散顔料の分散体に対して、水溶性有機溶剤、グリコールエーテル及び水等から構成されるインク溶媒を加えて均一に混合することで、本発明のインクジェット記録用水性顔料インクは完成する。
【００１４】
上記水溶性有機溶剤は、インクジェットヘッドの先端部でのインクの乾燥を防止する、記録濃度を高くする、鮮やかな発色をさせる等の効果を有するものである。
上記水溶性有機溶剤としては特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール類；ジメチルホルムアミド、ジメチルアセトアミド等のアミド類；アセトン、ジアセトンアルコール等のケトン類又はケトアルコール類；テトラヒドロフラン、ジオキサン等のエーテル類；グリセリン、２−ピロリドン、Ｎ−メチル−２−ピロリドン、１，３−ジメチル−２−イミダゾリジノン等を挙げることができる。
上記水溶性有機溶剤の配合量は、インクジェット記録用水性顔料インクの全量に対して５〜５０重量％が好ましく、より好ましくは１０〜４０重量％、更に好ましくは１５〜３５重量％である。
【００１５】
本発明のインクジェット記録用水性顔料インクは、エチレングリコールプロピルエーテル、ジエチレングリコールプロピルエーテル、トリエチレングリコールプロピルエーテル、プロピレングリコールプロピルエーテル、ジプロピレングリコールプロピルエーテル、及び、トリプロピレングリコールプロピルエーテルからなる群より選択される少なくとも１種のグリコールエーテルを含むものである。
上記グリコールエーテルの配合量としては、インクジェット記録用水性顔料インクの全量に対して１〜１０重量％が好ましい。１重量％未満であると、フェザリング、ブリーディングを充分に低減できないことがあり、１０重量％を超えると逆にフェザリング、ブリーディングを引き起こすことがある。より好ましくは１〜５重量％である。
【００１６】
本発明のインクジェット記録用水性顔料インクは、本発明のインクジェット記録用水性顔料インクから上記自己分散顔料の分散体を除いたインク構成成分の混合液（以下、インク溶媒ともいう）により上記自己分散顔料の分散体をペーパークロマトグラフィーにより展開したときの自己分散顔料の移動率Ｒｆ値が０．５以下を示すものである。
【００１７】
上記移動率Ｒｆ値とは、ペーパークロマトグラフィーで展開したときに、試料成分が移動した距離と溶媒が浸透した前端までの距離の比のことである。
すなわち、本発明のインクジェット記録用水性顔料インクにおいて、上記自己分散顔料の分散体を除いたインク溶媒により上記自己分散顔料の分散体をペーパークロマトグラフィーにより展開したときの自己分散顔料の移動率Ｒｆ値は下記式（１）で求めることができる。
移動率Ｒｆ値＝自己分散顔料粒子が移動した距離／自己分散顔料の分散体を除いたインク溶媒が浸透した前端までの距離     （１）
【００１８】
上記移動率Ｒｆ値が低いということは、顔料粒子が紙に浸透する速度に対してインク溶媒が紙に浸透する速度が非常に速く、インクの小滴が紙面上に付着した場合、インク溶媒が素早く紙面内に浸透し、顔料粒子が紙面上に留まることを意味する。したがって、上記移動率Ｒｆ値が低いと、フェザリング、ブリーディング等のにじみを低減することができる。
逆に上記移動率Ｒｆ値が高いということは、顔料粒子が紙に浸透する速度とインク溶媒が紙に浸透する速度が近く、インクの小滴が紙面上に付着した場合、インク溶媒と共に紙面内に顔料粒子が浸透することを意味する。したがって、インク溶媒のにじみに伴って、フェザリング、ブリーディング等のにじみが顕著に生じる。
【００１９】
本発明者らは鋭意検討を行った結果、インクジェット記録用水性顔料インクは、エチレングリコールプロピルエーテル、ジエチレングリコールプロピルエーテル、トリエチレングリコールプロピルエーテル、プロピレングリコールプロピルエーテル、ジプロピレングリコールプロピルエーテル、及び、トリプロピレングリコールプロピルエーテルからなる群より選択される少なくとも１種のグリコールエーテルを含有することにより、上記移動率Ｒｆ値を低くでき、フェザリング、ブリーディング等のにじみを充分に低減できることを見出し、本発明を完成させるに至った。
【００２０】
本発明のインクジェット記録用水性顔料インクは、インク溶媒として水を含むものである。
上記水としては、種々のイオンを含有する一般の水ではなく、脱イオン水を使用することが好ましい。上記水の配合量は、上記水溶性有機溶剤の種類及び組成、並びに、所望されるインクジェット記録用水性顔料インクの特性に依存して広い範囲で決められるが、インクジェット記録用水性顔料インクの全量に対して一般に１０〜９５重量％が好ましく、より好ましくは１０〜７０重量％、更に好ましくは２０〜７０重量％である。
【００２１】
本発明のインクジェット記録用水性顔料インクは、インクジェットヘッドのノズルの目詰まりを防止するために水溶性グリコール類を湿潤剤として含有していることが好ましい。
上記水溶性グリコール類としては、例えば、グリセリン、エチレングリコール、ジエチレングリコール、トリエチレングリコール、ポリエチレングリコール、プロピレングリコール、ジプロピレングリコール、トリプロピレングリコール、ポリプロピレングリコール、１，５−ペンタンジオール、１，６−ヘキサンジオール等を挙げることができる。
上記水溶性グリコール類の配合量は、一般にはインクジェット記録用水性顔料インクの全量に対して５〜５０重量％が好ましく、より好ましくは１０〜４０重量％、更に好ましくは１５〜３５重量％である。
【００２２】
本発明のインクジェット記録用水性顔料インクには、その他必要に応じて、界面活性剤、粘度調整剤、表面張力調整剤、防黴剤等を添加することができる。上記粘度調整剤としては、例えば、ポリビニルアルコール、セルロース類、水溶性樹脂等を挙げることができる。
【００２３】
以上のように、本発明のインクジェット記録用水性顔料インクは、従来技術の問題点が充分に解決されており、フェザリング及びブリーディングを低減し、鮮明な記録を与えることができる。
本発明のインクジェット記録用水性顔料インクを使用するインクジェット記録方法もまた本発明の１つである。
【００２４】
【実施例】
以下に実施例を掲げて本発明を更に詳しく説明するが、本発明はこれらの実施例のみに限定されるものではない。
【００２５】
（実施例１）
＜顔料分散体の作製＞
カーボンブラックＭＡ１００（三菱化学社製）３０ｇを水１００ｍｌに充分に混合した後、次亜塩素酸ナトリウム（有効塩素濃度１２重量％）４５ｇを滴下して、１００℃で１０時間攪拌した。このスラリーを乾燥させた後、水洗いを繰り返して精製して、表面処理された水に分散可能なカーボンブラックを得た。得られたカーボンブラックを水２００ｍｌに分散し、顔料濃度１５重量％、平均粒径０．１５μｍのカーボンブラック分散体とした。
【００２６】
＜インクジェット記録用水性顔料インクの作製＞
水３７重量部、グリセリン２５重量部及びエチレングリコールプロピルエーテル５重量部を混合して、インク溶媒を６７重量部作製した。
上記カーボンブラック分散体３３重量部を攪拌しながら、上記インク溶媒を徐々に全量加えた。更に３０分間撹拌した後に、孔径１μｍのメンブランフィルターにて濾過し、インクジェット記録用水性顔料インクとした。
【００２７】
＜移動率Ｒｆ値の測定＞
３ｃｍ×１．５ｃｍにカットしたＢＵＳＩＮＥＳＳ ＭＵＬＴＩＰＵＲＰＯＳＥ４２００ ＰＡＰＥＲ（以降、ＸＥＲＯＸ４２００紙、ＸＥＲＯＸ社製）上に毛細管を使用して上記カーボンブラック分散体約２μｌをスポット状に滴下した。滴下されたカーボンブラック分散体を乾燥させた後に密閉した容器内で、上記ＸＥＲＯＸ４２００紙片端から上記滴下点までの部分を上記インク溶媒に浸して約３０分間ペーパークロマトグラフィーで展開した。このペーパークロマトグラフィーによる展開で顔料粒子が移動した距離Ａとインクジェット記録用水性顔料インク溶媒が展開した距離Ｂを測定したところ距離Ａは０．９ｃｍ、距離Ｂは２．５ｃｍであった。実施例１のインクジェット記録用水性顔料インクから自己分散顔料の分散体を除いたインク溶媒に対する自己分散顔料の移動率Ｒｆ値は０．３６となった。
【００２８】
（実施例２）
モノアゾイエロー顔料（ピグメントイエロー７４）３０ｇとスルファニル酸６．０ｇを混合した。この混合物に０．３重量％亜硝酸ナトリウム水溶液１００ｇを攪拌しながら滴下した後、７０℃で１時間攪拌した。このスラリーを乾燥させた後、水洗いを繰り返して精製して、表面処理された水に分散可能なモノアゾイエロー顔料を得た。得られたモノアゾイエロー顔料を水２００ｍｌに分散し、顔料濃度１５重量％、平均粒径０．１１μｍのモノアゾイエロー顔料分散体とした。
上記モノアゾイエロー顔料分散体を用いて、表１の組成に従って実施例１と同様にインクジェット記録用水性顔料インクを作製した。
実施例２のインクジェット記録用水性顔料インクから自己分散顔料の分散体を除いたインク溶媒に対する自己分散顔料の移動率Ｒｆ値は０．４３であった。
【００２９】
（実施例３）
キナクリドンマゼンタ顔料（ピグメントレッド１２２）３０ｇとスルファニル酸６．０ｇを混合した。この混合物に０．３重量％亜硝酸ナトリウム水溶液１００ｇを攪拌しながら滴下した後、７０℃で１時間攪拌した。このスラリーを乾燥させた後に、水洗いを繰り返して精製して、表面処理された水に分散可能なキナクリドンマゼンタ顔料を得た。得られたキナクリドンマゼンタ顔料を水２００ｍｌに分散し、顔料濃度１５重量％、平均粒径０．１３μｍのキナクリドンマゼンタ顔料分散体とした。
上記キナクリドンマゼンタ顔料分散体を用いて、表１の組成に従って実施例１と同様にインクジェット記録用水性顔料インクを作製した。
実施例３のインクジェット記録用水性顔料インクから自己分散顔料の分散体を除いたインク溶媒に対する自己分散顔料の移動率Ｒｆ値は０．３９であった。
【００３０】
（実施例４）
フタロシアニンブルー顔料（ピグメントブルー１５：３）３０ｇとスルファニル酸６．０ｇと混合した。この混合物に０．３重量％亜硝酸ナトリウム水溶液１００ｇを攪拌しながら滴下した後、７０℃で１時間攪拌した。このスラリーを乾燥させた後、水洗いを繰り返して精製して、表面処理された水に分散可能なフタロシアニンブルー顔料を得た。得られたフタロシアニンブルー顔料を水３００ｍｌに分散し、顔料濃度１５重量％、平均粒径０．１１μｍのフタロシアニンブルー顔料分散体とした。
上記フタロシアニンブルー顔料分散体を用いて、表１の組成に従って実施例１と同様にインクジェット記録用水性顔料インクを作製した。
実施例４のインクジェット記録用水性顔料インクから自己分散顔料の分散体を除いたインク溶媒に対する自己分散顔料の移動率Ｒｆ値は０．２８であった。
【００３１】
（実施例５）
市販の表面処理済みの顔料分散体であるＣＡＢＯ−ＪＥＴ３００（キャボット社製、カーボンブラック濃度１５重量％）を用いて、表１の組成に従って実施例１と同様にインクジェット記録用水性顔料インクを作製した。
実施例５のインクジェット記録用水性顔料インクから自己分散顔料の分散体を除いたインク溶媒に対する自己分散顔料の移動率Ｒｆ値は０．２４であった。
【００３２】
（実施例６）
市販の表面処理済みの顔料分散体であるボンジェットＣＷ１（オリエント化学工業社製、カーボンブラック濃度１５重量％）を用いて、表１の組成に従って実施例１と同様にインクジェット記録用水性顔料インクを作製した。
実施例６のインクジェット記録用水性顔料インクから自己分散顔料の分散体を除いたインク溶媒に対する自己分散顔料の移動率Ｒｆ値は０．４５であった。
【００３３】
（比較例１）
水３７重量部、グリセリン２５重量部、実施例１のエチレングリコールプロピルエーテルの代わりにエチレングリコール−ｎ−ブチルエーテル５重量部を混合してインクジェット記録用水性顔料インク溶媒６７重量部を作製した。
実施例１で得られたカーボンブラック分散体を用いて、インクジェット記録用水性顔料インクを作製した。
比較例１のインクジェット記録用水性顔料インクから自己分散顔料の分散体を除いたインク溶媒に対する自己分散顔料の移動率Ｒｆ値は０．６０であった。
【００３４】
（比較例２）
実施例２で使用したモノアゾイエロー顔料分散体を用いて、表１の組成に従って実施例１と同様に、インクジェット記録用水性顔料インクを作製した。
比較例２のインクジェット記録用水性顔料インクから自己分散顔料の分散体を除いたインク溶媒に対する自己分散顔料の移動率Ｒｆ値は０．６７であった。
【００３５】
（比較例３）
実施例３で使用したキナクリドンマゼンタ顔料分散体を用いて、表１の組成に従って実施例１と同様に、インクジェット記録用水性顔料インクを作製した。
比較例３のインクジェット記録用水性顔料インクから自己分散顔料の分散体を除いたインク溶媒に対する自己分散顔料の移動率Ｒｆ値は０．７０であった。
【００３６】
（比較例４）
実施例４で使用したフタロシアニンブルー顔料分散体を用いて、表１の組成に従って実施例１と同様に、インクジェット記録用水性顔料インクを作製した。
比較例４のインクジェット記録用水性顔料インクから自己分散顔料の分散体を除いたインク溶媒に対する自己分散顔料の移動率Ｒｆ値は０．６０であった。
【００３７】
（比較例５）
実施例５で使用したＣＡＢＯ−ＪＥＴ３００（キャボット社製、カーボンブラック濃度１５重量％）を用いて、表１の組成に従って実施例１と同様にインクジェット記録用水性顔料インクを作製した。
比較例５のインクジェット記録用水性顔料インクから自己分散顔料の分散体を除いたインク溶媒に対する自己分散顔料の移動率Ｒｆ値は０．５８であった。
【００３８】
（比較例６）
実施例６で使用したボンジェットＣＷ１（オリエント化学工業社製、カーボンブラック濃度１５重量％）を用いて、表１の組成に従って実施例１と同様にインクジェット記録用水性顔料インクを作製した。
比較例６のインクジェット記録用水性顔料インクから自己分散顔料の分散体を除いたインク溶媒に対する自己分散顔料の移動率Ｒｆ値は０．６０であった。
【００３９】
（比較例７）
実施例６で使用したボンジェットＣＷ１（オリエント化学工業社製、カーボンブラック濃度１５重量％）を用いて、表１の組成に従って実施例１と同様にインクジェット記録用水性インクを作製した。
比較例７のインクジェット記録用水性顔料インクから自己分散顔料の分散体を除いたインク溶媒に対する自己分散顔料の移動率Ｒｆ値は０．６２であった。
【００４０】
【表１】
2003096367.tif 000001
表１中で材料名の隣に示した数字は、材料の配合量（重量部）を示す。
【００４１】
＜性能評価＞
実施例１〜６及び比較例１〜７で作製したインクジェット記録用水性インクを用いて、せん断モード型のインクジェットヘッドによりＸＥＲＯＸ４２００紙上に記録を行い、記録物におけるフェザリングを目視により以下の基準に基づいて評価した。
◎：フェザリングが目立たない。
○：フェザリングが若干目立つ。
△：フェザリングが目立ち、実用上問題あり。
×：フェザリングが明らかに目立ち、実用には向かない。
結果を表２に示す。
【００４２】
【表２】
2003096367.tif 000002
【００４３】
実施例１、実施例５及び実施例６で作製したブラックインク、実施例２で作製したイエローインク、実施例３で作製したマゼンタインク及び実施例４で作製したシアンインクの４色のインクジェット記録用水性顔料インクを用いて、せん断モード型のインクジェットヘッドによりＸＥＲＯＸ４２００紙上に記録を行い、異なる色のインクジェット記録用水性顔料インク同士を組合せたときに境界面で生じるブリーディングの評価を行った。
一方、比較例１、比較例５、比較例６及び比較例７で作製したブラックインク、比較例２で作製したイエローインク、比較例３で作製したマゼンタインク及び比較例４で作製したシアンインクの４色のインクジェット記録用水性顔料インクを用いて、上記評価方法により、それぞれブリーディングの評価を行った。
記録物におけるブリーディングの評価は、目視により以下の基準に基づいて行った。
◎：ブリーディングが目立たない。
○：ブリーディングが若干目立つ。
△：ブリーディングが目立ち、実用上問題あり。
×：ブリーディングが明らかに目立ち、実用には向かない。
ブリーディングの評価結果を表３及び表４に示す。
【００４４】
【表３】
2003096367.tif 000003
【００４５】
【表４】
2003096367.tif 000004
【００４６】
表２に示した通り、各実施例で作製したインクを用いた場合には、フェザリング及びブリーディングはほとんど認められなかった。
一方、各比較例で作製したインクを用いた場合には、フェザリング及びブリーディングが目立ち、良好な記録ができなかった。なお、比較例７はエチレングリコールプロピルエーテルを含有していたが、配合量が０．５重量部と少なく、インクジェット記録用水性顔料インクから自己分散顔料の分散体を除いたインク溶媒に対する自己分散顔料の移動率Ｒｆ値が０．５を超えたため、実施例に対して劣った結果となった。
【００４７】
【発明の効果】
本発明は上述の構成よりなるので、フェザリング及びブリーディングが少なく、鮮明なカラー記録ができるインクジェット記録用水性顔料インク及びそのインクを使用するインクジェット記録方法を提供できる。